(57)【特許請求の範囲】
【請求項１】
複数のピクセルを備える表示パネルと、
ガンマ補償電圧に基づいてピクセルデータをデータ電圧に変換して複数のデータラインを介して前記複数のピクセルに供給するデータ駆動回路と、
前記表示パネルの各水平ラインのピクセルに接続されるゲートラインを介してスキャン信号を供給するゲート駆動回路と、
電源ラインを介して前記複数のピクセルにピクセル駆動電圧を供給する電源部と、
前記電源部に接続されたセンシングラインと、
を含み、
前記電源部は、ガンマ基準電圧調整部を含み、
前記センシングラインは、前記表示パネルの複数の位置で前記スキャン信号に同期して検出されるピクセル駆動電圧の測定値を、前記ガンマ基準電圧調整部に伝達するように構成され、
前記ガンマ基準電圧調整部は、前記ピクセル駆動電圧の測定値に基づいて前記ガンマ補償電圧の範囲を調整するように構成される、表示装置。
【請求項２】
前記スキャン信号に応じて前記電源ラインと前記センシングラインとの接続を制御するセンシングスイッチトランジスタをさらに含んで構成されることを特徴とする、請求項１に記載の表示装置。
【請求項３】
前記センシングラインは、前記表示パネルにおける表示領域の外側領域に設けられ、
前記センシングスイッチトランジスタは、前記表示パネルにメッシュ状に形成される前記電源ラインのうち、前記ゲートラインが延びる方向に延びる横配線を前記センシングラインに接続することを特徴とする、請求項２に記載の表示装置。
【請求項４】
前記センシングスイッチトランジスタは、各水平ラインに配置され、当該水平ラインのピクセルに接続されるゲートラインに供給されるスキャン信号に応じて、当該水平ラインに前記ピクセル駆動電圧を供給する横配線を前記センシングラインに接続することを特徴とする、請求項３に記載の表示装置。
【請求項５】
前記ガンマ基準電圧調整部は、前記センシングラインを介して所定数の水平期間ごとに１回ずつ前記ピクセル駆動電圧の測定値を受けて前記ガンマ補償電圧の範囲を調整することを特徴とする、請求項３に記載の表示装置。
【請求項６】
ガンマ基準電圧調整部は、前記電源部が出力する前記ピクセル駆動電圧の基準値を前記測定値と比較して、前記ガンマ補償電圧の範囲を限定する高電位ガンマ入力電圧と低電位ガンマ入力電圧を調整することを特徴とする、請求項１に記載の表示装置。
【請求項７】
前記ガンマ基準電圧調整部は、前記基準値と測定値との差に対応する第１信号を出力する第１差動増幅器、内部高電位電圧と前記第１信号との差を前記高電位ガンマ入力電圧として出力する第２差動増幅器、及び内部低電位電圧と前記第１信号との差を前記低電位ガンマ入力電圧として出力する第３差動増幅器を含むことを特徴とする、請求項６に記載の表示装置。
【請求項８】
前記高電位ガンマ入力電圧と前記低電位ガンマ入力電圧を用いて前記ガンマ補償電圧を生成するガンマ補償電圧生成部をさらに含むことを特徴とする、請求項６または７に記載の表示装置。
【請求項９】
前記第１差動増幅器の増幅比は１以上であることを特徴とする、請求項７に記載の表示装置。
【請求項１０】
前記電源部は入力映像のパターンに基づいて前記ピクセル駆動電圧を増加させることを特徴とする、請求項１に記載の表示装置。
【発明の詳細な説明】
【技術分野】
【０００１】
この明細書は、表示装置に関し、より詳細には、スキャン信号に同期して駆動電圧の降下を反映することによりガンマ電圧を補償する表示装置に関する。
【背景技術】
【０００２】
フラットパネルディスプレイは、液晶ディスプレイ（Ｌｉｑｕｉｄ  Ｃｒｙｓｔａｌ  Ｄｉｓｐｌａｙ、ＬＣＤ）、電界発光ディスプレイ（Ｅｌｅｃｔｒｏｌｕｍｉｎｅｓｃｅｎｅｃｅ  Ｄｉｓｐｌａｙ）、電界放出ディスプレイ（Ｆｉｅｌｄ  Ｅｍｉｓｓｉｏｎ  Ｄｉｓｐｌａｙ、ＦＥＤ）、量子ドットディスプレイパネル（Ｑｕａｎｔｕｍ  Ｄｏｔ  Ｄｉｓｐｌａｙ  Ｐａｎｅｌ、ＱＤ）などがある。電界発光ディスプレイは、発光層の材料によって無機発光表示装置と有機発光表示装置に分けられる。有機発光表示装置のピクセルは、自ら発光する発光素子である有機発光ダイオード（Ｏｒｇａｎｉｃ  Ｌｉｇｈｔ  Ｅｍｉｔｔｉｎｇ  Ｄｉｏｄｅ、ＯＬＥＤ）を含み、これを発光させて映像を表示する。
【０００３】
フラットパネルディスプレイの駆動回路は、入力映像に該当するデジタルデータを、ピクセルを駆動するためのデータ電圧に変換してデータラインを介して供給するデータ駆動回路、及びデータ電圧に同期するスキャン信号（またはゲート信号）をゲートラインへ出力するゲート駆動回路を含む。データ駆動回路は、デジタル−アナログ変換器（Ｄｉｇｉｔａｌ  ｔｏ  Ａｎａｌｏｇ  ｃｏｎｖｅｒｔｅｒ、ＤＡＣ）を用いてデジタルデータをデータ電圧に変換する。ＤＡＣは、デジタルデータをガンマ電圧に変換してデータ電圧を出力する。
【０００４】
ピクセルには、データ電圧とスキャンゲート信号が供給され、また、ピクセルを駆動するためのピクセル駆動電源が供給される。例えば、有機発光表示装置のピクセルには、発光素子であるＯＬＥＤに電流が流れるように高電位ピクセル駆動電圧Ｖｄｄと低電位電源電圧Ｖｓｓなどのピクセル駆動電源が電源ラインを介して共通に供給される。
ところが、表示パネルでピクセルの位置によって電源ラインにおける駆動電圧の電圧降下量が異なるため、実際に互いに異なるピクセル駆動電圧がピクセルに供給されることがある。これにより、同じ大きさのデータ電圧がピクセルに供給されても、ピクセルの位置によってＯＬＥＤが発光する光の輝度が変わり、同じ輝度で再現されるべき入力映像がピクセルの位置によって異なるように表現できる。
【０００５】
また、電源ラインにおけるピクセル駆動電圧の電圧降下量は、入力映像のパターンによっても異なるが、入力映像が暗い画面で構成されるときは、電圧降下が大きくないため、表示パネルの上と下におけるピクセル駆動電圧の差が大きくないが、入力映像が明るい画面で構成されるときは、伝達経路が遠くなるほど電圧降下量が大きくなって表示パネルの上と下における駆動電圧の差が大きくなる。
【発明の概要】
【発明が解決しようとする課題】
【０００６】
この明細書に開示された実施形態は、このような状況に鑑みてなされたもので、その目的は、ピクセルの位置や入力映像のパターンとは無関係に、ピクセルが入力データに相応して発光するようにすることにある。
この明細書の他の目的は、電圧降下によるピクセル駆動電圧の変動を補償する表示装置を提供することにある。
この明細書の別の目的は、各位置ごとにピクセル駆動電圧の変化をリアルタイムで検出する構成を提供することにある。
【課題を解決するための手段】
【０００７】
一実施形態に係る表示装置は、複数のピクセルを備える表示パネルと、ガンマ補償電圧に基づいてピクセルデータをデータ電圧に変換して複数のデータラインを介して複数のピクセルに供給するデータ駆動回路と、表示パネルの各水平ラインのピクセルに接続されるゲートラインを介してスキャン信号を供給するゲート駆動回路と、電源ラインを介して複数のピクセルにピクセル駆動電圧を供給する電源部と、表示パネルの複数の位置でスキャン信号に同期して検出されるピクセル駆動電圧の測定値に基づいてガンマ補償電圧の範囲を調整するガンマ基準電圧調整部とを含んで構成されることを特徴とする。
【０００８】
一実施形態に係る表示装置は、検出されるピクセル駆動電圧をガンマ基準電圧調整部に伝達するセンシングライン、及びスキャン信号に応じて電源ラインとセンシングラインの接続を制御するセンシングスイッチトランジスタをさらに含んで構成できる。
【発明の効果】
【０００９】
したがって、スキャン信号を用いる簡単な構成によって、各位置でリアルタイムにてピクセルに実際に供給されるピクセル駆動電圧を検出することができる。
また、実際供給されるピクセル駆動電圧に基づいてガンマ基準電圧をリアルタイムで変更しながら生成することにより、ピクセル駆動電圧の降下による輝度変動を最小限に抑えることができる。
また、ピクセルの位置やピクセル駆動電圧の降下に影響を与える入力映像のパターンとは無関係に、同じデータ入力に対して同じ輝度でピクセルを発光させることができるため、予測可能で、正常な画像表示を可能にする。
【図面の簡単な説明】
【００１０】
【図１】有機発光表示装置を示すブロック図である。
【図２】データ駆動部の具体的な構成を示す図である。
【図３】ガンマ基準電圧生成部を示す図である。
【図４】ピクセル回路の例を示す図である。
【図５】図４のピクセル回路における駆動に関連する信号を示す図である。
【図６】ホストシステムから移動端末用表示パネルに供給される電源ラインの経路を示す図である。
【図７】ピクセル駆動電圧をリアルタイムでフィードバックするための構成を示す図である。
【図８】スキャン信号に同期して順次ピクセル駆動電圧を検出する過程を示す図である。
【図９】フィードバックされる実際ピクセル駆動電圧を用いて、ガンマ基準電圧生成部に供給される低電位／高電位ガンマ入力電圧を生成する構成を示す図である。
【図１０】図９を実現する具体的な回路を示す図である。
【図１１】フレームが進行して入力映像が変わるとき、図７の構成によって検出した実際ピクセル駆動電圧と図９の構成によって生成した低電位／高電位ガンマ入力電圧を示す図である。
【発明を実施するための形態】
【００１１】
以下、添付図面を参照して好適な実施形態を詳細に説明する。明細書全体にわたって、同一の参照番号は実質的に同一の構成要素を意味する。以下の説明において、この明細書の内容に関連する公知の機能或いは構成についての具体的な説明が不必要に内容の理解を妨害するおそれがあると判断された場合は、その詳細な説明を省略する。
【００１２】
表示装置において、ピクセル回路とゲート駆動回路は、ＮチャネルトランジスタＮＭＯＳ及びＰチャネルトランジスタＰＭＯＳのうちの一つ以上を含むことができる。トランジスタは、ゲート（ｇａｔｅ）、ソース（ｓｏｕｒｃｅ）及びドレイン（ｄｒａｉｎ）を含む３電極素子である。ソースは、キャリア（ｃａｒｒｉｅｒ）をトランジスタに供給する電極である。トランジスタ内において、キャリアはソースから流れ始める。ドレインは、トランジスタからキャリアが外部に出ていく電極である。トランジスタにおけるキャリアの流れはソースからドレインへ流れる。Ｎチャネルトランジスタの場合、キャリアが電子（ｅｌｅｃｔｒｏｎ）であるため、ソースからドレインへ電子が流れるようにソース電圧がドレイン電圧よりも低い電圧を持つ。Ｎチャネルトランジスタにおける電流の方向はドレインからソース側へ流れる。Ｐチャネルトランジスタの場合、キャリアが正孔（ｈｏｌｅ）であるため、ソースからドレインへ正孔が流れるようにソース電圧がドレイン電圧よりも高い。Ｐチャネルトランジスタにおいて正孔がソースからドレインへ流れるため、電流がソースからドレインへ流れる。トランジスタのソースとドレインは、固定されたものではないことに注意すべきである。例えば、ソースとドレインは印加電圧に応じて変更できる。したがって、トランジスタのソースとドレインにより発明が制限されない。以下の説明において、トランジスタのソースとドレインを第１電極、第２電極と呼ぶことにする。
【００１３】
ピクセルに印加されるスキャン信号（またはゲート信号）は、ゲートオン電圧（Ｇａｔｅ  Ｏｎ  Ｖｏｌｔａｇｅ）とゲートオフ電圧（Ｇａｔｅ  Ｏｆｆ  Ｖｏｌｔａｇｅ）との間でスイング（ｓｗｉｎｇ）する。ゲートオン電圧は、トランジスタのしきい電圧よりも高い電圧に設定され、ゲートオフ電圧は、トランジスタのしきい電圧よりも低い電圧に設定される。トランジスタは、ゲートオン電圧に応答してターンオン（ｔｕｒｎ−ｏｎ）されるのに対し、ゲートオフ電圧に応答してターンオフ（ｔｕｒｎ−ｏｆｆ）される。Ｎチャネルトランジスタの場合、ゲートオン電圧はゲートハイ電圧（Ｇａｔｅ  Ｈｉｇｈ  Ｖｏｌｔａｇｅ、ＶＧＨ）であり、ゲートオフ電圧はゲートロー電圧（Ｇａｔｅ  Ｌｏｗ  Ｖｏｌｔａｇｅ、ＶＧＬ）であり得る。Ｐチャネルトランジスタの場合、ゲートオン電圧はゲートロー電圧（ＶＧＬ）であり、ゲートオフ電圧はゲートハイ電圧（ＶＧＨ）であり得る。
【００１４】
有機発光表示装置のピクセルそれぞれは、発光素子であるＯＬＥＤと、ゲート−ソースの間の電圧（Ｖｇｓ）に応じてＯＬＥＤに電流を供給してＯＬＥＤを駆動する駆動素子とを含む。ＯＬＥＤはアノード、カソード、およびこれらの電極の間に形成された有機化合物層を含む。有機化合物層は、正孔注入層（Ｈｏｌｅ  Ｉｎｊｅｃｔｉｏｎ  ｌａｙｅｒ、ＨＩＬ）、正孔輸送層（Ｈｏｌｅ  ｔｒａｎｓｐｏｒｔ  ｌａｙｅｒ、ＨＴＬ）、発光層（Ｅｍｉｓｓｉｏｎ  ｌａｙｅｒ、ＥＭＬ）、電子輸送層（Ｅｌｅｃｔｒｏｎ  ｔｒａｎｓｐｏｒｔ  ｌａｙｅｒ、ＥＴＬ）、電子注入層（Ｅｌｅｃｔｒｏｎ  Ｉｎｊｅｃｔｉｏｎ  ｌａｙｅｒ、  ＥＩＬ）などを含むことができるが、これに限定されない。ＯＬＥＤに電流が流れるとき、正孔輸送層（ＨＴＬ）を通過した正孔と電子輸送層（ＥＴＬ）を通過した電子が発光層（ＥＭＬ）へ移動して励起子が形成され、その結果、発光層（ＥＭＬ）が可視光を放出することができる。
【００１５】
駆動素子は、ＭＯＳＦＥＴ（ｍｅｔａｌ  ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ）などのトランジスタで実現できる。駆動素子は、ピクセル同士の間でその電気的特性が均一でなければならないが、工程バラツキと素子特性バラツキによりピクセル同士の間に差があり、ディスプレイ駆動時間の経過に伴って変わりうる。このような駆動素子の電気的特性バラツキを補償するために、有機発光表示装置に内部補償方法および／または外部補償方法が適用できる。
【００１６】
内部補償方法は、ピクセル（サブピクセル）それぞれでピクセル間の電気的特性をピクセル内でリアルタイムサンプリングして、ピクセル内でピクセルの電気的特性だけピクセルデータ電圧を補償する。ピクセルの電気的特性は、駆動素子のしきい電圧または移動度などを含む。
【００１７】
外部補償方法は、ピクセルの電気的特性に応じて変わるピクセルの電流または電圧をリアルタイムでセンシングし、ピクセルごとにセンシングされる電気的特性に基づいて外部回路で入力映像のピクセルデータ（デジタルデータ）を変調することにより、ピクセルそれぞれで電気的特性の変化またはバラツキを補償する。
【００１８】
この明細書に開示された内容は、内部補償方法および／または外部補償方法が適用される有機発光表示装置に適用できる。以下の実施形態において、内部補償方法が適用されたピクセル回路が例示されるが、これに限定されない。外部補償方法は、内部補償方法に比べてピクセル回路で必要なトランジスタとピクセル電源の個数を減らすことができる。
【００１９】
図１は有機発光表示装置を示すブロック図である。図１の表示装置は、表示パネル１０、タイミングコントローラ１１、データ駆動回路１２、ゲート駆動回路１３、電源部１６及びガンマ基準電圧生成部１７を備えることができる。
【００２０】
図６は移動端末用表示装置を実現形態に基づいて表現したものであり、表示装置は、表示パネル１０、フレキシブルプリント回路（Ｆｌｅｘｉｂｌｅ  Ｐｒｉｎｔｅｄ  Ｃｉｒｃｕｉｔｓ、ＦＰＣ）２０、及びドライブＩＣ（Ｉｎｔｅｇｒａｔｅｄ  Ｃｉｒｃｕｉｔ）３０を含んで構成できるが、ドライブＩＣ３０がＦＰＣ２０に実装できる。
【００２１】
図１のタイミングコントローラ１１、データ駆動回路１２、ゲート駆動回路１３、電源部１６及びガンマ基準電圧生成部１７は、全体または一部が図６のドライブＩＣ３０内に一体化できる。
【００２２】
表示パネル１０において入力映像が表現される画面ＡＡは、列（Ｃｏｌｕｍｎ）方向（または垂直方向）に配列される多数のデータライン１４と、行（Ｒｏｗ）方向（または水平方向）に配列される多数のゲートライン１５とが交差し、交差領域ごとにピクセルＰＸＬがマトリックス状に配置されてピクセルアレイを形成する。ゲートライン１５は、データライン１４に供給されるデータ電圧をピクセルに印加するためのスキャン信号を供給する第１ゲートライン１５＿１と、データ電圧が書き込まれたピクセルを発光させるための発光信号を供給する第２ゲートライン１５＿２とを含むことができる。
【００２３】
表示パネル１０は、ピクセル駆動電圧（または高電位電源電圧）ＶｄｄをピクセルＰＸＬに供給するための第１電源ライン１０１、低電位電源電圧ＶｓｓをピクセルＰＸＬに供給するための第２電源ライン１０２、ピクセル回路を初期化するための初期化電圧Ｖｉｎｉを供給するための初期化電圧ライン１０３などをさらに含むことができる。第１／第２電源ライン１０１、１０２と初期化電圧ライン１０３は電源部１６に接続される。第２電源ライン１０２は、多数のピクセルＰＸＬを覆う透明電極の形で形成されてもよい。
【００２４】
表示パネル１０のピクセルアレイ上にタッチセンサが配置できる。タッチ入力は、別途のタッチセンサを用いてセンシングされるか、或いはピクセルを介してセンシングされ得る。タッチセンサは、オンセルタイプ（Ｏｎ−ｃｅｌｌ  ｔｙｐｅ）またはアドオンタイプ（Ａｄｄ  ｏｎ  ｔｙｐｅ）で表示パネルＰＸＬの画面ＡＡ上に配置されるか、或いはピクセルアレイに内蔵されるインセルタイプ（Ｉｎ−ｃｅｌｌ  ｔｙｐｅ）タッチセンサで実現できる。
ピクセルアレイにおいて、同じ水平ラインに配置されるピクセルＰＸＬは、データライン１４のいずれか一つ、ゲートライン１５のいずれか一つ（または第１ゲートライン１５＿１のいずれか一つと第２ゲートライン１５＿２のいずれか一つ）に接続されてピクセルラインを形成する。ピクセルＰＸＬは、ゲートライン１５を介して印加されるスキャン信号と発光信号に応答してデータライン１４と電気的に接続され、データ電圧の入力を受けてデータ電圧に相応する電流でＯＬＥＤを発光させる。同じピクセルラインに配置されたピクセルＰＸＬは、同じゲートライン１５から印加されるスキャン信号と発光信号に基づいて同時に動作する。
【００２５】
一つのピクセルユニットは、赤色サブピクセル、緑色サブピクセル、青色サブピクセルを含む３つのサブピクセル、または赤色サブピクセル、緑色サブピクセル、青色サブピクセル、白色サブピクセルを含む４つのサブピクセルで構成できるが、これに限定されない。各サブピクセルは、内部補償回路を含むピクセル回路で実現できる。以下、ピクセルはサブピクセルを意味する。
【００２６】
ピクセルＰＸＬは、電源部１６からピクセル駆動電圧Ｖｄｄ、初期化電圧Ｖｉｎｉ及び低電位電源電圧Ｖｓｓの供給を受け、駆動トランジスタ、ＯＬＥＤ及び内部補償回路を備えることができるが、内部補償回路は、後述する図４に示すように、複数のスイッチトランジスタと一つ以上のキャパシタで構成できる。
【００２７】
タイミングコントローラ１１は、外部ホストシステム（図示せず）から伝達される映像データＲＧＢをデータ駆動回路１２に供給する。タイミングコントローラ１１は、ホストシステムから垂直同期信号Ｖｓｙｎｃ、水平同期信号Ｈｓｙｎｃ、データイネーブル信号ＤＥ、ドットクロックＤＣＬＫなどのタイミング信号の入力を受け、データ駆動回路１２とゲート駆動回路１３の動作タイミングを制御するための制御信号を生成する。制御信号は、ゲート駆動回路１３の動作タイミングを制御するためのゲートタイミング制御信号ＧＣＳと、データ駆動回路１２の動作タイミングを制御するためのデータタイミング制御信号ＤＣＳとを含む。
【００２８】
データ駆動回路１２は、データ制御信号ＤＣＳに基づいて、タイミングコントローラ１１から入力されるデジタルビデオデータＲＧＢをアナログデータ電圧に変換し、データ電圧を出力チャネルとデータライン１４を経てピクセルＰＸＬに供給する。データ電圧は、ピクセルが表現する階調に対応する値であり得る。データ駆動回路１２は、複数のドライバＩＣで構成できる。
【００２９】
ゲート駆動回路１３は、ゲート制御信号ＧＣＳに基づいてスキャン信号と発光信号を生成するが、アクティブ期間にスキャン信号と発光信号を行順次方式で生成して、ピクセルラインごとに接続されたゲートライン１５に順次提供する。ゲートライン１５のスキャン信号と発光信号は、データライン１４のデータ電圧の供給に同期する。スキャン信号と発光信号は、ゲートオン電圧ＶＧＬとゲートオフ電圧ＶＧＨとの間でスイングする。ゲートオン電圧ＶＧＬとゲートオフ電圧ＶＧＨはＶＧＨ＝８Ｖ、ＶＧＬ＝−７Ｖに設定できるが、これに限定されない。
【００３０】
ゲート駆動回路１３は、シフトレジスタ、シフトレジスタの出力信号をピクセルのＴＦＴ駆動に適したスイング幅に変換するためのレベルシフタ及び出力バッファなどをそれぞれ含む多数のゲートドライブ集積回路で構成できる。または、ゲート駆動回路１３は、ＧＩＰ（Ｇａｔｅ  Ｄｒｉｖｅ  ＩＣ  ｉｎ  Ｐａｎｅｌ）方式で表示パネル１１０の下部基板に直接形成されてもよい。ＧＩＰ方式の場合、レベルシフタはＰＣＢ（Ｐｒｉｎｔｅｄ  Ｃｉｒｃｕｉｔ  Ｂｏａｒｄ）上に実装され、シフトレジスタは表示パネル１０の下部基板に形成できる。
【００３１】
電源部１６は、直流−直流変換器（ＤＣ−ＤＣ  Ｃｏｎｖｅｒｔｅｒ）を用いて、ホストから提供される直流入力電圧を調整してデータ駆動回路１２とゲート駆動回路１３の動作に必要なゲートオン電圧ＶＧＬ、ゲートオフ電圧ＶＧＨなどを生成し、また、ピクセルアレイの駆動に必要なピクセル駆動電圧Ｖｄｄ、初期化電圧Ｖｉｎｉ及び低電位電源電圧Ｖｓｓを生成する。
【００３２】
電源部１６は、表示パネル１０の各位置でピクセルＰＸＬに実際に供給されるピクセル駆動電圧Ｖｄｄ＿ｓの入力をリアルタイムで受け、これに基づいて低電位／高電位ガンマ入力電圧Ｖｇｍａ＿ｌ／Ｖｇｍａ＿ｈを生成してガンマ基準電圧生成部１７に提供することができる。
【００３３】
ガンマ基準電圧生成部１７は、低電位／高電位ガンマ入力電圧Ｖｇｍａ＿ｌ／Ｖｇｍａ＿ｈが定める範囲でガンマ基準電圧ＧＭＡ１〜ＧＭＡ８を生成するので、低電位／高電位ガンマ入力電圧Ｖｇｍａ＿ｌ／Ｖｇｍａ＿ｈは、ガンマ基準電圧の生成範囲、すなわちガンマ基準電圧の上限と下限を決定することができる。
【００３４】
ホストシステムは、モバイル機器、ウェアラブル機器及び仮想／拡張現実機器などにおいてＡＰ（Ａｐｐｌｉｃａｔｉｏｎ  Ｐｒｏｃｅｓｓｏｒ）になり得る。または、ホストシステムは、テレビシステム、セットトップボックス、ナビゲーションシステム、パーソナルコンピュータ、及びホームシアターシステムなどのメインボードであり得るが、これに限定されない。
【００３５】
図２はデータ駆動回路の具体的な構成を示す図である。
【００３６】
図２を参照すると、データ駆動回路１２は、シフトレジスタ（ｓｈｉｆｔ  ｒｅｇｉｓｔｅｒ）１２１、第１ラッチ（ｌａｔｃｈ）１２２、第２ラッチ１２３、レベルシフタ１２４、ＤＡＣ１２５、及びバッファ１２６を含む。
【００３７】
シフトレジスタ１２１は、タイミングコントローラ１１から入力されるクロックをシフトしてサンプリングのためのクロックを順次出力する。第１ラッチ１２２は、シフトレジスタ１２１から順次入力されるサンプリング用クロックタイミングに入力映像のピクセルデータＲＧＢをサンプリングしてラッチし、サンプリングされたピクセルデータＲＧＢを同時に出力する。第２ラッチ１２３は、第１ラッチ１２２から入力されたピクセルデータＲＧＢを同時に出力する。
【００３８】
レベルシフタ１２４は、第２ラッチ１２３から入力されたピクセルデータＲＧＢの電圧をＤＡＣ（ｄｉｇｉｔａｌ−ｔｏ−ａｎａｌｏｇ  ｃｏｎｖｅｒｔｅｒ）１２５の入力電圧範囲内にシフトする。ＤＡＣ１２５は、レベルシフタ１２４からのピクセルデータＲＧＢをガンマ補償電圧に基づいてデータ電圧に変換して出力する。ＤＡＣ１２５から出力されるデータ電圧は、バッファ１２６を介してデータライン１４に供給される。
【００３９】
図３はガンマ基準電圧生成部を示す図である。
【００４０】
図３に示されたガンマ基準電圧生成部１７は、８つのガンマ基準電圧ＧＭＡ１〜ＧＭＡ８を出力するが、ガンマ基準電圧生成部が出力するガンマ基準電圧の個数はこれに限定されない。
【００４１】
図３を参照すると、ガンマ基準電圧生成部１７は、第１分圧部ＲＳ１、第１乃至第３分圧回路ＧＣ１、ＧＣ２、ＧＣ３を含み、最上位ガンマ基準電圧（以下、第１ガンマ基準電圧という）ＧＭＡ１及び第２乃至第８ガンマ基準電圧ＧＭＡ２〜ＧＭＡ８を生成する。
【００４２】
第１分圧回路ＧＣ１は、第１分圧部ＲＳ１で分配される電圧に基づいて、第１ガンマ基準電圧ＧＭＡ１を生成する。そのために、第１分圧回路ＧＣ１は、第１マルチプレクサＭＵＸ１及び第１バッファＢＵＦ１を含む。
【００４３】
第１分圧部ＲＳ１は、高電位ガンマ入力電圧Ｖｇｍａ＿ｈの入力端と低電位ガンマ入力電圧Ｖｇｍａ＿ｌの入力端との間に互いに直列に接続された多数の抵抗からなり得る。第１マルチプレクサＭＵＸ１は、第１分圧部ＲＳ１で分配される電圧の入力を受け、最上位ガンマレジスタ値ＲＥＧ１に応じて選択される電圧を出力する。第１バッファＢＵＦ１は、電流流れが逆行することを防止し、第１ガンマ基準電圧ＧＭＡ１が円滑に伝達されるようにする。
【００４４】
第２分圧回路ＧＣ２は、高電位ガンマ入力電圧Ｖｇｍａ＿ｈを分配して、第２乃至第８ガンマ基準電圧ＧＭＡ２〜ＧＭＡ８を生成する。第２分圧回路ＧＣ２は、第２乃至第８分圧部ＲＳ２〜ＲＳ８、第２乃至第８マルチプレクサＭＵＸ２〜ＭＵＸ８、及び第２乃至第８バッファＢＵＦ２〜ＢＵＦ８を含む。
【００４５】
第２乃至第７分圧部ＲＳ２〜ＲＳ７は、それぞれ高電位ガンマ入力電圧Ｖｇｍａ＿ｈ及び後段のガンマ基準電圧の入力を受け、高電位ガンマ入力電圧Ｖｇｍａ＿ｈを分配する。第８分圧部ＲＳ８は、高電位ガンマ入力電圧Ｖｇｍａ＿ｈ及び低電位ガンマ入力電圧Ｖｇｍａ＿ｌの入力を受け、高電位ガンマ入力電圧Ｖｇｍａ＿ｈを分配する。第２乃至第８分圧部ＲＳ２〜ＲＳ８それぞれは、可変抵抗からなり得る。
【００４６】
第２乃至第８マルチプレクサＭＵＸ２〜ＭＵＸ８それぞれは、予め設定されたガンマレジスタ値ＲＥＧ２〜ＲＥＧ８に応じて、第２乃至第８分圧部ＲＳ２〜ＲＳ８によって分配される電圧の中からいずれか一つをガンマ基準電圧として選択する。第２乃至第７分圧部ＲＳ２〜ＲＳ７は、高電位ガンマ入力電圧Ｖｇｍａ＿ｈ及び後段のガンマ基準電圧の入力を受けて高電位ガンマ入力電圧Ｖｇｍａ＿ｈを分配する。第８分圧部ＲＳ８は、高電位ガンマ入力電圧Ｖｇｍａ＿ｈ及び低電位ガンマ入力電圧Ｖｇｍａ＿ｌの入力を受けて高電位ガンマ入力電圧Ｖｇｍａ＿ｈを分配する。第２乃至第８バッファＢＵＦ２〜ＢＵＦ８は、電流流れが逆行することを防止し、第２乃至第８ガンマ基準電圧ＧＭＡ２〜ＧＭＡ８が円滑に出力されるようにする。
【００４７】
具体的に、第２分圧部ＲＳ２は、高電位ガンマ入力電圧Ｖｇｍａ＿ｈ及び第３ガンマ基準電圧ＧＭＡ３の入力を受け、高電位ガンマ入力電圧Ｖｇｍａ＿ｈを分配する。第２マルチプレクサＭＵＸ２は、第２ガンマレジスタ値ＲＥＧ２に応じて、第２分圧部ＲＳ２が分配する電圧の中からいずれか一つを選択し、選択された電圧を第２バッファＢＵＦ２を介して第２ガンマ基準電圧ＧＭＡ２として出力する。
【００４８】
第３分圧部ＲＳ３は、高電位ガンマ入力電圧Ｖｇｍａ＿ｈ及び第４ガンマ基準電圧ＧＭＡ４の入力を受け、高電位ガンマ入力電圧Ｖｇｍａ＿ｈを分配する。第３マルチプレクサＭＵＸ３は、第３ガンマレジスタ値ＲＥＧ３に応じて、第３分圧部ＲＳ３が分配する電圧の中からいずれかを選択し、選択された電圧を第３のバッファＢＵＦ３を介して第３ガンマ基準電圧ＧＭＡ３として出力する。
【００４９】
第４分圧部ＲＳ４は、高電位ガンマ入力電圧Ｖｇｍａ＿ｈ及び第５ガンマ基準電圧ＧＭＡ５の入力を受け、高電位ガンマ入力電圧Ｖｇｍａ＿ｈを分配する。第４マルチプレクサＭＵＸ４は、第４ガンマレジスタ値ＲＥＧ４に応じて、第４分圧部ＲＳ４が分配する電圧の中からいずれか一つを選択し、選択された電圧を第４バッファＢＵＦ４を介して第４ガンマ基準電圧ＧＭＡ４として出力する。
【００５０】
第５分圧部ＲＳ５は、高電位ガンマ入力電圧Ｖｇｍａ＿ｈ及び第６ガンマ基準電圧ＧＭＡ６の入力を受け、高電位ガンマ入力電圧Ｖｇｍａ＿ｈを分配する。第５マルチプレクサＭＵＸ５は、第５ガンマレジスタ値ＲＥＧ５に応じて、第５分圧部ＲＳ５が分配する電圧の中からいずれか一つを選択し、選択された電圧を第５バッファＢＵＦ５を介して第５ガンマ基準電圧ＧＭＡ５として出力する。
【００５１】
第６分圧部ＲＳ６は、高電位ガンマ入力電圧Ｖｇｍａ＿ｈ及び第７ガンマ基準電圧ＧＭＡ７の入力を受け、高電位ガンマ入力電圧Ｖｇｍａ＿ｈを分配する。第６マルチプレクサＭＵＸ６は、第６ガンマレジスタ値ＲＥＧ６に応じて、第６分圧部ＲＳ６が分配する電圧の中からいずれか一つを選択し、選択された電圧を第６バッファＢＵＦ６を介して第６ガンマ基準電圧ＧＭＡ６として出力する。
【００５２】
第７分圧部ＲＳ７は、高電位ガンマ入力電圧Ｖｇｍａ＿ｈ及び第８ガンマ基準電圧ＧＭＡ８の入力を受け、高電位ガンマ入力電圧Ｖｇｍａ＿ｈを分配する。第７マルチプレクサＭＵＸ７は、第７ガンマレジスタ値ＲＥＧ７に応じて、第７分圧部ＲＳ７が分配する電圧の中からいずれか一つを選択し、選択された電圧を第７バッファＢＵＦ７を介して第７ガンマ基準電圧ＧＭＡ７として出力する。
【００５３】
第８分圧部ＲＳ８は、高電位ガンマ入力電圧Ｖｇｍａ＿ｈ及び低電位ガンマ入力電圧Ｖｇｍａ＿ｌの入力を受け、高電位ガンマ入力電圧Ｖｇｍａ＿ｈを分配する。第８マルチプレクサＭＵＸ８は、第８ガンマレジスタ値ＲＥＧ８に応じて、第８分圧部ＲＳ８が分配する電圧の中からいずれか一つを選択し、選択された電圧を第８バッファＢＵＦ８を介して第８ガンマ基準電圧ＧＭＡ８として出力する。
【００５４】
第３分圧回路ＧＣ３は、第１乃至第７抵抗Ｒ１〜Ｒ７を含み、第１乃至第７抵抗は、第２乃至第８ガンマ基準電圧ＧＭＡ２〜ＧＭＡ８を出力するタップｔａｐ１〜ｔａｐ８の間に配置される。例えば、第１抵抗Ｒ１は、第１タップｔａｐ１及び第２タップｔａｐ２との間に配置され、第７抵抗Ｒ７は、第７タップｔａｐ７と第８タップｔａｐ８との間に配置される。第３分圧回路ＧＣ３は、各タップｔａｐ１〜ｔａｐ７を介して出力される第２乃至第８ガンマ基準電圧ＧＭＡ２〜ＧＭＡ８の電圧レベルが安定的に維持されるようにする。
【００５５】
データ駆動回路１２は、図２に示すように、入力映像のピクセルデータＲＧＢをアナログデータ電圧Ｖｄａｔａに変換するＤＡＣ１２５を含むが、ＤＡＣ１２５が例えば８ビットのピクセルデータＲＧＢを０〜２５５の互いに異なるアナログデータ電圧Ｖｄａｔａに変換するために、２５６個のガンマ補償電圧を必要とする。このために、ガンマ基準電圧生成部１７とＤＡＣ１２５との間に、ガンマ基準電圧生成部１７が出力する所定個数のガンマ基準電圧を例えば２５６個のガンマ補償電圧に変換するためのガンマ補償電圧生成部が追加できる。
【００５６】
タイミングコントローラ１１、データ駆動回路１２、ゲート駆動回路１３、電源部１６及びガンマ基準電圧生成部１７が一つのドライブＩＣに一体化される場合、ガンマ基準電圧生成部１７とＤＡＣ１２５の前のガンマ補償電圧生成部は、一つのブロックに一体化してガンマ補償電圧を生成することができる。
【００５７】
データ電圧生成のためのガンマ補償電圧は、ピクセル回路の構造に応じてポジティブガンマ（ｐｏｓｉｔｉｖｅ  ｇａｍｍａ）またはネガティブガンマ（ｎｅｇａｔｉｖｅ  ｇａｍｍａ）で実現できる。例えば、ピクセルの発光素子、例えばＯＬＥＤを駆動する駆動トランジスタがＰチャネルＭＯＳＦＥＴで実現され、このトランジスタのゲート電極にデータ電圧が印加される場合に、ネガティブガンマでガンマ補償電圧が発生してピクセルデータＲＧＢの階調が高いほどガンマ補償電圧が低くなる。ピクセルの発光素子を駆動する駆動トランジスタがＮチャネルＭＯＳＦＥＴで実現され、このトランジスタのゲートにデータ電圧が印加されると、ポジティブガンマでガンマ補償電圧が発生してピクセルデータＲＧＢの階調が高いほどガンマ補償電圧が高くなる。
【００５８】
図４はピクセル回路の例を示す図である。図５は図４のピクセル回路における駆動に関連する信号を示す図である。図４のピクセル回路は一例に過ぎず、この明細書の実施形態が適用されるピクセル回路は図４に限定されない。
図４のピクセル回路は、内部補償回路、発光素子、発光素子に電流を供給する駆動素子ＤＴを含む。前記発光素子はＯＬＥＤで実現できる。前記内部補償回路は、多数のスイッチトランジスタＴ１〜Ｔ６及びストレージキャパシタＣｓｔで構成できる。前記内部補償回路は、駆動素子ＤＴのしきい電圧Ｖｔｈをサンプリングして駆動素子ＤＴのしきい電圧Ｖｔｈだけ駆動素子ＤＴのゲート電圧を補償することができる。駆動素子ＤＴとスイッチトランジスタＴ１〜Ｔ６それぞれは、Ｐチャネルトランジスタで実現でき、これに限定されない。
【００５９】
図４のピクセル回路は、ｎ番目の水平ライン（またはピクセルライン）に配置されたピクセルに対するものである。図４のピクセル回路の動作は、大きく、初期化期間ｔ１、ｔ２、サンプリング期間ｔ３、データ書き込み期間ｔ４及び発光期間ｔ５に分けて行われる。
【００６０】
初期化期間ｔ１に、（ｎ−１）番目の水平ラインのピクセルにデータ電圧を供給するための第（ｎ−１）スキャン信号ＳＣＡＮ（ｎ−１）がゲートオン電圧ＶＧＬで印加されて第５及び第６スイッチトランジスタＴ５、Ｔ６がターンオンされ、これによりピクセル回路が初期化される。初期化期間ｔ１の後、現在の水平ラインにデータ供給を制御するための第ｎスキャン信号ＳＣＡＮ（ｎ）がゲートオン電圧ＶＧＬで印加される前に、第（ｎ−１）スキャン信号ＳＣＡＮ（ｎ−１）がゲートオン電圧ＶＧＬからゲートオフ電圧ＶＧＨに変わるホールド期間ｔ２が配置されるが、２番目の期間に該当するホールド期間ｔ２は省略されてもよい。
【００６１】
サンプリング期間ｔ３に、現在の水平ラインにデータ供給を制御するための第ｎスキャン信号ＳＣＡＮ（ｎ）がゲートオン電圧ＶＧＬで印加されて第１及び第２スイッチトランジスタＴ１、Ｔ２がターンオンされることにより、駆動素子（または駆動トランジスタ）ＤＴのしきい電圧がサンプリングされてストレージキャパシタＣｓｔに保存される。
【００６２】
データ書き込み期間ｔ４に、第ｎスキャン信号ＳＣＡＮ（ｎ）がゲートオフ電圧ＶＧＨで印加されて第１及び第２スイッチトランジスタＴ１、Ｔ２がターンオフされ、残りのスイッチトランジスタＴ３乃至Ｔ６もすべてターンオフされ、駆動トランジスタＤＴを流れる電流によって駆動トランジスタＤＴのゲート電極の電圧が上昇する。
【００６３】
発光期間ｔ５に、第ｎ発光信号ＥＭ（ｎ）がゲートオン電圧ＶＧＬで印加されて第３及び第４スイッチトランジスタＴ３、Ｔ４がターンオンされることにより、発光素子が発光する。
【００６４】
低い階調の輝度を発光信号ＥＭ（ｎ）のデューティ比（ｄｕｔｙ  ｒａｔｉｏ）で精密に表現するために、発光期間ｔ５の間に発光信号ＥＭ（ｎ）がゲートオン電圧ＶＧＬとゲートオフ電圧ＶＧＨとの間で所定のデューティ比でスイングするようにして、第３及び第４スイッチトランジスタＴ３、Ｔ４がオン／オフ動作を繰り返すようにすることができる。
【００６５】
発光素子のアノード電極は、第４スイッチトランジスタＴ４と第６スイッチトランジスタＴ６との間の第４ノードｎ４に接続される。第４ノードｎ４は、発光素子のアノード電極、第４スイッチトランジスタＴ４の第２電極、及び第６スイッチトランジスタＴ６の第２電極に接続される。発光素子のカソード電極は、低電位電源電圧Ｖｓｓが印加される第２電源ライン１０２に接続される。発光素子は、駆動素子ＤＴのゲート−ソースの間の電圧Ｖｇｓに応じて流れる電流で発光する。発光素子の電流流れは、第３及び第４スイッチトランジスタＴ３、Ｔ４によってスイッチングされる。
【００６６】
ストレージキャパシタＣｓｔは、第１電源ライン１０１と第２ノードｎ２との間に接続される。駆動素子ＤＴのしきい電圧Ｖｔｈだけ補償されたデータ電圧ＶｄａｔａがストレージキャパシタＣｓｔに充電される。ピクセルそれぞれでデータ電圧Ｖｄａｔａが駆動素子ＤＴのしきい電圧Ｖｔｈだけ補償されるので、ピクセルにおける駆動素子ＤＴの特性バラツキが補償できる。
【００６７】
第１スイッチトランジスタＴ１は、第ｎスキャン信号ＳＣＡＮ（ｎ）のゲートオン電圧ＶＧＬに応答してターンオンされ、第２ノードｎ２と第３ノードｎ３とを接続する。第２ノードｎ２は、駆動素子ＤＴのゲート電極、ストレージキャパシタＣｓｔの第１電極及び第１スイッチトランジスタＴ１の第１電極に接続される。第３ノードｎ３は、駆動素子ＤＴの第２電極、第１スイッチトランジスタＴ１の第２電極、及び第４スイッチトランジスタＴ４の第１電極に接続される。第１スイッチトランジスタＴ１のゲート電極は、第１ゲートライン１５＿１に接続され、第ｎスキャン信号ＳＣＡＮｎの供給を受ける。第１スイッチトランジスタＴ１の第１電極は第２ノードｎ２に接続され、第１スイッチトランジスタＴ１の第２電極は第３ノードｎ３に接続される。
【００６８】
第２スイッチトランジスタＴ２は、第ｎスキャン信号ＳＣＡＮｎのゲートオン電圧ＶＧＬに応答してターンオンされ、データ電圧Ｖｄａｔａを第１ノードｎ１に供給する。第２スイッチトランジスタＴ２のゲート電極は、第１ゲートライン１５＿１に接続され、第ｎスキャン信号ＳＣＡＮｎの供給を受ける。第２スイッチトランジスタＴ２の第１電極は、データ電圧Ｖｄａｔａが印加されるデータライン１４に接続される。第２スイッチトランジスタＴ２の第２電極は、第１ノードｎ１に接続される。第１ノードｎ１は、第２スイッチトランジスタＴ２の第２電極、第３スイッチトランジスタＴ３の第２電極、及び駆動素子ＤＴの第１電極に接続される。
【００６９】
第３スイッチトランジスタＴ３は、発光信号ＥＭ（ｎ）のゲートオン電圧ＶＧＬに応答してターンオンされ、第１電源ライン１０１を第１ノードｎ１に接続する。第３スイッチトランジスタＴ３のゲート電極は、第２ゲートライン１５＿２に接続され、発光信号ＥＭｎの供給を受ける。第３スイッチトランジスタＴ３の第１電極は第１電源ライン１０１に接続される。第３スイッチトランジスタＴ３の第２電極は第１ノードｎ１に接続される。
【００７０】
第４スイッチトランジスタＴ４は、発光信号ＥＭ（ｎ）のゲートオン電圧ＶＧＬに応答してターンオンされ、第３ノードｎ３を発光素子のアノード電極に接続する。第４スイッチトランジスタＴ４のゲート電極は、第２ゲートライン１５＿２に接続され、発光信号ＥＭ（ｎ）の供給を受ける。第４スイッチトランジスタＴ４の第１電極は第３ノードｎ３に接続され、第２電極は第４ノードｎ４に接続される。
【００７１】
発光信号ＥＭ（ｎ）は、第３及び第４スイッチトランジスタＴ３、Ｔ４のオン／オフ（Ｏｎ／Ｏｆｆ）を制御して発光素子の電流流れをスイッチングすることにより、発光素子の点灯及び消灯時間を制御する。
【００７２】
第５スイッチトランジスタＴ５は、第（ｎ−１）スキャン信号ＳＣＡＮ（ｎ−１）のゲートオン電圧ＶＧＬに応答してターンオンされ、第２ノードｎ２を初期化電圧ライン１０３に接続する。第５スイッチトランジスタＴ５のゲート電極は、（ｎ−１）番目の水平ラインのピクセルにデータ電圧を供給することを制御するスキャン信号を供給する第１ゲートライン１５＿１に接続され、第ｎ−１スキャン信号ＳＣＡＮｎ−１の供給を受ける。第５スイッチトランジスタＴ５の第１電極は第２ノードｎ２に接続され、第２電極は初期化電圧ライン１０３に接続される。
【００７３】
第６スイッチトランジスタＴ６は、第（ｎ−１）スキャン信号ＳＣＡＮｎ−１のゲートオン電圧ＶＧＬに応答してターンオンされ、初期化電圧ライン１０３を第４ノードｎ４に接続する。第６スイッチトランジスタＴ６のゲート電極は、第（ｎ−１）水平ラインの第１ゲートライン１５＿１に接続され、第ｎ−１スキャン信号ＳＣＡＮ（ｎ−１）の供給を受ける。第６スイッチトランジスタＴ６の第１電極は初期化電圧ライン１０３に接続され、第２電極は第４ノードｎ４に接続される。
【００７４】
駆動素子ＤＴは、ゲート−ソースの間の電圧Ｖｇｓに応じて、発光素子に流れる電流を調節して発光素子を駆動する。駆動素子ＤＴは、第２ノードｎ２に接続されたゲート電極、第１ノードｎ１に接続された第１電極、及び第３ノードｎ３に接続された第２電極を含む。
【００７５】
初期化期間ｔ１の間、第（ｎ−１）スキャン信号ＳＣＡＮ（ｎ−１）は、ゲートオン電圧ＶＧＬで入力される。第ｎスキャン信号ＳＣＡＮ（ｎ）と発光信号ＥＭ（ｎ）は、初期化期間ｔ１の間にゲートオフ電圧ＶＧＨを維持する。したがって、初期化期間ｔ１の間に第５及び第６スイッチトランジスタＴ５、Ｔ６がターンオンされ、第２及び第４ノードｎ２、ｎ４が初期化電圧Ｖｉｎｉに初期化される。初期化期間ｔ１とサンプリング期間ｔ３の間にホールド期間ｔ２が設定できる。ホールド期間ｔ２に、第（ｎ−１）スキャン信号ＳＣＡＮ（ｎ−１）はゲートオン電圧ＶＧＬからゲートオフ電圧ＶＧＨに変わり、第ｎスキャン信号ＳＣＡＮ（ｎ）と発光信号ＥＭ（ｎ）は以前の状態を維持する。
【００７６】
サンプリング期間ｔ３の間に第ｎスキャン信号ＳＣＡＮ（ｎ）がゲートオン電圧ＶＧＬで入力される。第ｎスキャン信号ＳＣＡＮ（ｎ）のパルスは、ｎ番目の水平ラインに供給されるデータ電圧Ｖｄａｔａに同期する。第（ｎ−１）スキャン信号ＳＣＡＮ（ｎ−１）と発光信号ＥＭ（ｎ）は、サンプリング期間ｔ３の間にゲートオフ電圧ＶＧＨを維持する。よって、サンプリング期間ｔ３の間に、第１及び第２スイッチトランジスタＴ１、Ｔ２がターンオンされる。
【００７７】
サンプリング期間ｔ３の間に駆動素子ＤＴのゲート端子、すなわち第２ノードｎ２の電圧が、第１及び第２スイッチトランジスタＴ１、Ｔ２を介して流れる電流によって上昇する。駆動素子ＤＴがターンオフされるとき、第２ノードｎ２の電圧Ｖｎ２がＶｄａｔａ−｜Ｖｔｈ｜である。このとき、第１ノードｎ１の電圧はＶｄａｔａである。サンプリング期間ｔ３に、駆動素子ＤＴのゲート−ソースの間の電圧Ｖｇｓは｜Ｖｇｓ｜＝Ｖｄａｔａ−（Ｖｄａｔａ−｜Ｖｔｈ｜）＝｜Ｖｔｈ｜である。
【００７８】
データ書き込み期間ｔ４の間に第ｎスキャン信号ＳＣＡＮ（ｎ）がゲートオフ電圧ＶＧＨに反転される。第（ｎ−１）スキャン信号ＳＣＡＮ（ｎ−１）と発光信号ＥＭ（ｎ）は、データ書き込み期間ｔ４の間にゲートオフ電圧ＶＧＨを維持する。よって、データ書き込み期間ｔ４の間にすべてのスイッチトランジスタＴ１〜Ｔ６がオフ状態を維持する。
【００７９】
発光期間ｔ５の間に発光信号ＥＭ（ｎ）がゲートオン電圧ＶＧＬを維持し続けるか、或いは所定のデューティ比でオン／オフされてゲートオン電圧ＶＧＬとゲートオフ電圧ＶＧＨとの間でスイングすることができる。発光期間ｔ５の間に、第（ｎ−１）及び第ｎスキャン信号ＳＣＡＮ（ｎ−１）、ＳＣＡＮ（ｎ）はゲートオフ電圧ＶＧＨを維持する。発光期間ｔ５の間に、第３及び第４スイッチトランジスタＴ３、Ｔ４は発光信号ＥＭ（ｎ）の電圧に応じてオン／オフを繰り返すことができる。発光信号ＥＭ（ｎ）がゲートオン電圧ＶＧＬであるとき、第３及び第４スイッチトランジスタＴ３、Ｔ４がターンオンされて発光素子に電流が流れる。このとき、駆動素子ＤＴのゲート−ソースの間の電圧Ｖｇｓは｜Ｖｇｓ｜＝Ｖｄｄ−（Ｖｄａｔａ−｜Ｖｔｈ｜）であり、発光素子に流れる電流はＫ（Ｖｄｄ−Ｖｄａｔａ）２である。Ｋは、駆動素子ＤＴの電荷移動度、寄生キャパシタンス及びチャネル容量などによって決定される比例定数である。
【００８０】
発光素子が放出する光の輝度は、発光素子に流れる電流に比例する。第１電源ライン１０１を介して供給されるピクセル駆動電圧Ｖｄｄは負荷または入力映像のパターンに応じて変わるが、入力されるデータ電圧Ｖｄａｔａは変わらずに維持されると、同じデータ電圧Ｖｄａｔａに対してピクセル駆動電圧Ｖｄｄに応じて発光素子が放出する輝度が変わる。
【００８１】
図６はホストシステムから移動端末用表示パネルに供給される電源ラインの経路を示す図である。
【００８２】
ホストシステムから直接供給されるピクセル駆動電圧ＶｄｄまたはドライブＩＣ３０に含まれている電源部１６がホストシステムから供給を受けた入力電源を用いて生成したピクセル駆動電圧Ｖｄｄは、ＦＰＣ２０に形成された電源配線２１を経て表示パネル１０に供給される。表示パネル１０にメッシュ（ｍｅｓｈ）状に形成された第１電源ライン１０１は、ＦＰＣ２０の電源配線２１に接続されてピクセル駆動電圧ＶｄｄをピクセルＰＸＬに供給する。
【００８３】
表示パネル１０に供給されるピクセル駆動電圧Ｖｄｄは、表示パネル１０の負荷に応じて電圧降下（ＩＲ  Ｄｒｏｐ）が発生し、表示パネル１０の負荷変動に応じてその電圧降下量が変わる。表示パネル１０の負荷は、抵抗（Ｒｅｓｉｓｔａｎｃｅ）Ｒと容量（Ｃａｐａｃｉｔａｎｃｅ）Ｃによって決定され、さらに入力映像のパターン、すなわち入力データによって決定される画面ＡＡの輝度（例えば、平均画像レベル（Ａｖｅｒａｇｅ  Ｐｉｃｔｕｒｅ  Ｌｅｖｅｌ、ＡＰＬ）により変わり得る。
【００８４】
入力映像のＡＰＬが高い場合には、表示パネル１０に含まれているピクセルＰＸＬが消費する電流が増加するため、ピクセル駆動電圧Ｖｄｄの電圧降下量が多くなり、入力映像のＡＰＬが低い場合には、表示パネル１０が消費する電流が減少してピクセル駆動電圧Ｖｄｄの電圧降下量が少なくなる。
【００８５】
表示パネルの負荷によるピクセル駆動電圧Ｖｄｄの電圧降下を補償するために、表示パネル１０の特定部位、主にピクセル駆動電圧Ｖｄｄが印加される部位でピクセル駆動電圧Ｖｄｄを測定し、これに基づいてデータ電圧を可変させることができる。
【００８６】
また、入力映像のパターンによるピクセル駆動電圧Ｖｄｄの電圧降下を補償するために、ピクセルライン単位の発光動作が表示パネル１０の上端から下端に進行するほどピクセル駆動電圧Ｖｄｄを上げるが、現在駆動するピクセルラインまで累積電流値（またはＡＰＬ）を計算し、これに基づいてピクセル駆動電圧Ｖｄｄを上げるゲインを調節することができる。ピクセル駆動電圧Ｖｄｄの電圧降下を補償するために、このような２つの補償アルゴリズムを一緒に使用することができる。
【００８７】
図７はピクセル駆動電圧をリアルタイムでフィードバックするための構成を示す図で、図８はスキャン信号に同期して順次ピクセル駆動電圧を検出する過程を示す図である。
【００８８】
ピクセル駆動電圧Ｖｄｄの電圧降下を補償するために、固定された位置でピクセル駆動電圧Ｖｄｄを測定する場合、位置に応じてピクセル駆動電圧Ｖｄｄが変わることを反映することができないという問題がある。かかる問題を解決するために、複数の位置でピクセル駆動電圧Ｖｄｄをリアルタイムで検出しなければならない。
【００８９】
図７において、スキャン信号に同期して、スキャン信号が印加される位置（ピクセルライン）におけるピクセル駆動電圧Ｖｄｄをリアルタイムで検出すれば、ピクセル駆動電圧Ｖｄｄの電圧降下による輝度偏差を補償することができる。
図６に示すように、ピクセル駆動電圧Ｖｄｄをピクセルに供給する第１電源ライン１０１は、メッシュ状に接続され、横方向（またはゲートラインが延びる方向）に延びる第１電源ライン１０１の横配線は、水平ライン（またはピクセルライン）ごとに配置され、当該水平ラインにあるピクセルにピクセル駆動電圧Ｖｄｄを供給することができる。または、横方向に延びる第１電源ライン１０１の横配線は、複数の水平ラインに一つずつ配置されてもよい。
【００９０】
図７に示すように、表示パネル１０における画面（または表示領域）ＡＡの外側領域（または非表示領域）にセンシングライン１０４を設け、第１ゲートライン１５＿１に印加されるスキャン信号を用いて制御されるセンシングスイッチトランジスタＴ１０１を介して第１電源ライン１０１の横配線とセンシングライン１０４とを接続することができる。センシングライン１０４は、電源部１６に接続され、実際に検出したピクセル駆動電圧Ｖｄｄ＿ｓを電源部１６にフィードバックする。
【００９１】
ゲートオン電圧のスキャン信号によってセンシングスイッチトランジスタＴ１０１がターンオンされると、当該水平ラインに配置された第１電源ライン１０１の横配線がセンシングライン１０４に接続され、当該水平ラインのピクセルに供給されるピクセル駆動電圧Ｖｄｄの実際値Ｖｄｄ＿ｓがセンシングライン１０４を経て電源部１６に供給される。
【００９２】
図８に示すように、１番目の水平線ラインのピクセルにデータ電圧を供給するスキャン動作を行うとき、すなわち、ゲートオン電圧の第１スキャン信号ＳＣＡＮ１が１番目の水平ラインの第１ゲートライン１５＿１に供給されるとき、第１スキャン信号ＳＣＡＮ（１）によってセンシングスイッチトランジスタＴ１０１がターンオンされる。これは、１番目の水平ラインのピクセルにピクセル駆動電圧Ｖｄｄを供給するように横方向に延びる第１電源ライン１０１の第１横配線がセンシングライン１０４に接続され、１番目の水平ラインのピクセルに実際に供給されるピクセル駆動電圧Ｖｄｄ＿ｓがセンシングライン１０４を経て電源部１６に伝達される。
【００９３】
同様に、２番目の水平ラインのピクセルにデータ電圧を供給するスキャン動作を行うとき、すなわち、ゲートオン電圧の第２スキャン信号ＳＣＡＮ２が２番目の水平ラインの第１ゲートライン１５＿１に供給されるとき、第２スキャン信号ＳＣＡＮ２によってセンシングスイッチトランジスタＴ１０１がターンオンされて第１電源ライン１０１の第２横配線がセンシングライン１０４に接続され、２番目の水平ラインのピクセルに実際に供給されるピクセル駆動電圧Ｖｄｄ＿ｓがセンシングライン１０４を経て電源部１６に伝達される。
【００９４】
３番目の水平ライン、４番目の水平ラインに対しても同様に、当該水平ラインのピクセルを駆動するスキャン信号によって当該水平ラインのピクセルに実際に供給されるピクセル駆動電圧Ｖｄｄ＿ｓがセンシングライン１０４を経て電源部１６に伝達される。
【００９５】
スキャン信号に連携して各位置でリアルタイムにて検出されてフィードバックされるピクセル駆動電圧の測定値Ｖｄｄ＿ｓは、ピクセルデータをデータ電圧に変えるときに用いられるガンマ補償電圧の生成範囲を変更することに使用できる。ガンマ補償電圧が変わると、同じピクセルデータに対しても異なるデータ電圧が出力されるので、ピクセルに実際供給される実際ピクセル駆動電圧Ｖｄｄ＿ｓに合わせてガンマ補償電圧の範囲を変えると、これにより、ピクセルに印加されるデータ電圧も変えることができる。
【００９６】
センシングスイッチトランジスタＴ１０１が複数個、例えばｋ個の水平ラインごとに１つだけ設けられる場合、電源部１６は、ｋ個のスキャン信号ごとに（またはｋ水平期間ごとに）１回ずつピクセルに実際に供給されるピクセル駆動電圧Ｖｄｄ＿ｓをセンシングすることもできる。ピクセル駆動電圧Ｖｄｄ＿ｓがｋ水平期間に１回ずつ検出されると、ガンマ補償電圧もｋ水平期間期間に１回ずつ変更できる。
【００９７】
図９はフィードバックされる実際ピクセル駆動電圧を用いて、ガンマ基準電圧生成部に供給される低電位／高電位ガンマ入力電圧を生成する構成を示す図、図１０は図９を実現する具体的な回路を示す図である。
【００９８】
電源部１６は、ガンマ基準電圧生成部１７が生成するガンマ基準電圧の生成範囲を限定する低電位ガンマ入力電圧Ｖｇｍａ＿ｌと高電位ガンマ入力電圧Ｖｇｍａ＿ｈを変更するガンマ基準電圧調整部１６１を含むことができる。
【００９９】
ガンマ基準電圧調整部１６１は、表示パネル１０の各位置でフィードバックされるピクセル駆動電圧の測定値Ｖｄｄ＿ｓと、電源部１６が生成して表示パネル１０に供給するピクセル駆動電圧の基準値Ｖｄｄ＿ｒとを比較して低電位ガンマ入力電圧Ｖｇｍａ＿ｌと高電位ガンマ入力電圧Ｖｇｍａ＿ｈを調整することができる。
【０１００】
図１０を参照すると、ガンマ基準電圧調整部１６１は、ピクセル駆動電圧の基準値Ｖｄｄ＿ｒとピクセル駆動電圧の測定値Ｖｄｄ＿ｓとを比較してその差異値（ピクセル駆動電圧の降下量）を増幅して出力する第１差動増幅器と、増幅された電圧降下量に基づいて高電位ガンマ入力電圧Ｖｇｍａ＿ｈと低電位ガンマ入力電圧Ｖｇｍａ＿ｌをそれぞれ生成する第２及び第３差動増幅器とを含んで構成できる。
【０１０１】
第１差動増幅器は、センシングライン１０４を介して検出したピクセル駆動電圧の測定値Ｖｄｄ＿ｓの入力を抵抗Ｒ１を介して反転端子に受け、ピクセル駆動電圧の基準値Ｖｄｄ＿ｒの入力を抵抗Ｒ１を介して非反転端子に受け、反転端子と出力端子とを抵抗Ｒ２を介して接続し、非反転端子は抵抗Ｒ２を介してグラウンドに接続する。
【０１０２】
したがって、第１差動増幅器は、ピクセル駆動電圧の基準値Ｖｄｄ＿ｒとピクセル駆動電圧の測定値Ｖｄｄ＿ｓとの差（ピクセル駆動電圧の電圧降下量）をＲ２／Ｒ１比で増幅するので、第１差動増幅器の出力であるＶｏは、Ｖｏ＝Ｒ２／Ｒ１＊（Ｖｄｄ−Ｖｄｄ＿ｓ）となる。抵抗Ｒ１とＲ２が同じであって第１差動増幅器の増幅比が１であれば、第１差動増幅器の出力はＶｏ＝Ｖｄｄ＿ｒ−Ｖｄｄ＿ｓとなる。
【０１０３】
スキャン信号は、当該水平ラインのピクセルに印加されるデータ電圧に同期して当該水平ラインのゲートラインに供給されるため、当該スキャン信号を用いて検出するピクセル駆動電圧の測定値Ｖｄｄ＿ｓに基づいて調整されるガンマ補償電圧は、当該水平ラインのピクセルに既に印加されたピクセルデータのデータ電圧への変換には使用できない。
【０１０４】
このように、ピクセル駆動電圧のセンシングとこれを用いたデータ電圧の調整は、所定の時間差が発生するしかない。当該時間差の間に、ピクセル駆動電圧はさらに低くなるしかない。よって、第１差動増幅器における抵抗Ｒ１とＲ２の比を調節して、例えばＲ２／Ｒ１を１よりも大きくして、ピクセル駆動電圧のセンシングとデータ電圧の調整との時間間隔を補償することもできる。
【０１０５】
高電位ガンマ入力電圧Ｖｇｍａ＿ｈを出力する第２差動増幅器は、第１差動増幅器の出力Ｖｏの入力を抵抗Ｒ１を介して反転端子に受け、内部高電位電圧Ｖｇｍａ＿ｈ０の入力を抵抗Ｒ１を介して非反転端子に受け、反転端子と出力端子とを抵抗Ｒ１を介して接続し、非反転端子は抵抗Ｒ１を介してグラウンドに接続する。
【０１０６】
したがって、第２差動増幅器は、増幅比が１となり、内部高電位電圧Ｖｇｍａ＿ｈ０から第１差動増幅器の出力Ｖｏを差し引いた値を高電位ガンマ入力電圧Ｖｇｍａ＿ｈとして出力する。高電位ガンマ入力電圧Ｖｇｍａ＿ｈは、Ｖｇｍａ＿ｈ＝Ｖｇｍａ＿ｈ０＋Ｒ２／Ｒ１＊（Ｖｄｄ＿ｓ−Ｖｄｄ＿ｒ）となる。
【０１０７】
同様に、低電位ガンマ入力電圧Ｖｇｍａ＿ｌを出力する第３差動増幅器は、第１差動増幅器の出力Ｖｏの入力を抵抗Ｒ１を介して反転端子に受け、内部低電位電圧Ｖｇｍａ＿ｌ０の入力を抵抗Ｒ１を介して非反転端子に受け、反転端子と出力端子とを抵抗Ｒ１を介して接続し、非反転端子は抵抗Ｒ１を介してグラウンドに接続する。
【０１０８】
したがって、第３差動増幅器は、増幅比が１となり、内部低電位電圧Ｖｇｍａ＿ｌ０から第１差動増幅器の出力Ｖｏを差し引いた値を低電位ガンマ入力電圧Ｖｇｍａ＿ｌとして出力する。低電位ガンマ入力電圧Ｖｇｍａ＿ｌは、Ｖｇｍａ＿ｌ＝Ｖｇｍａ＿ｌ０＋Ｒ２／Ｒ１＊（Ｖｄｄ＿ｓ−Ｖｄｄ＿ｒ）となる。
【０１０９】
第１差動増幅器の増幅比は１以上とすることができるが、例えば、増幅比を１とすると、第２差動増幅器の出力である高電位ガンマ入力電圧Ｖｇｍａ＿ｈ＝Ｖｇｍａ＿ｈ０＋（Ｖｄｄ＿ｓ−Ｖｄｄ＿ｒ）となり、第３差動増幅器の出力である低電位ガンマ入力電圧Ｖｇｍａ＿ｌ＝Ｖｇｍａ＿ｌ０＋（Ｖｄｄ＿ｓ−Ｖｄｄ＿ｒ）となる。
【０１１０】
したがって、高電位／低電位ガンマ入力電圧Ｖｇｍａ＿ｈ／Ｖｇｍａ＿ｌは、ピクセル駆動電圧の測定値Ｖｄｄ＿ｓの変化に連動して変わるが、実際ピクセル駆動電圧の測定値Ｖｄｄ＿ｓが、電源部１６が出力するピクセル駆動電圧の基準値Ｖｄｄ＿ｒより低くなると、高電位／低電位ガンマ入力電圧Ｖｇｍａ＿ｈ／Ｖｇｍａ＿ｌも一緒にピクセル駆動電圧の測定値Ｖｄｄ＿ｓが低くなった分だけ低くなる。
【０１１１】
ピクセルデータをデータ電圧Ｖｄａｔａに変換する基準となるガンマ補償電圧は、高電位／低電位ガンマ入力電圧Ｖｇｍａ＿ｈ／Ｖｇｍａ＿ｌによってその範囲が決定され、高電位／低電位ガンマ入力電圧Ｖｇｍａ＿ｈ／Ｖｇｍａ＿ｌがピクセル駆動電圧の測定値Ｖｄｄ＿ｓに応じて変更されるので、ピクセルに印加されるデータ電圧Ｖｄａｔａは、ピクセル駆動電圧の測定値Ｖｄｄ＿ｓの変動にそのまま対応して変わり得る。
【０１１２】
実際ピクセル駆動電圧の測定値Ｖｄｄ＿ｓが、電源部１６が出力するピクセル駆動電圧の基準値Ｖｄｄ＿ｒと同じであれば、高電位／低電位ガンマ入力電圧Ｖｇｍａ＿ｈ／Ｖｇｍａ＿ｌは、内部高電位／低電位電圧Ｖｇｍａ＿ｈ０／Ｖｇｍａ＿ｌ０をそのまま維持する。このとき、データ電圧は、内部高電位電圧Ｖｇｍａ＿ｈ０と内部低電位電圧Ｖｇｍａ＿ｌ０との間に形成されるガンマ補償電圧によって決定される。
【０１１３】
ところが、ピクセル駆動電圧Ｖｄｄに電圧降下が発生して実際ピクセル駆動電圧の測定値Ｖｄｄ＿ｓが、電源部１６が出力するピクセル駆動電圧の基準値Ｖｄｄよりも降下量Ｖｄｄ＿ｄだけ低くなると、すなわち、Ｖｄｄ＿ｒ−Ｖｄｄ＿ｓ＝Ｖｄｄ＿ｄになると、高電位／低電位ガンマ入力電圧Ｖｇｍａ＿ｈ／Ｖｇｍａ＿ｌは内部高電位／低電位電圧Ｖｇｍａ＿ｈ０／Ｖｇｍａ＿ｌ０よりも降下量Ｖｄｄ＿ｄだけ低くなって、高電位ガンマ入力電圧Ｖｇｍａ＿ｈはＶｇｍａ＿ｈ０−Ｖｄｄ＿ｄとなり、低電位ガンマ入力電圧Ｖｇｍａ＿ｌはＶｇｍａ＿ｌ０−Ｖｄｄ＿ｄとなる。
【０１１４】
このとき、データ電圧は、内部高電位／低電位電圧Ｖｇｍａ＿ｈ０／Ｖｇｍａ＿ｌ０から降下量Ｖｄｄ＿ｄだけ低くなった高電位ガンマ入力電圧Ｖｇｍａ＿ｈと低電位ガンマ入力電圧Ｖｇｍａ＿ｌとの間に形成されるガンマ補償電圧によって決定される。
【０１１５】
したがって、同じピクセルデータが他の水平ラインのピクセルに印加されても、ピクセル駆動電圧の基準値Ｖｄｄ＿ｒから降下量Ｖｄｄ＿ｄだけ低くなった実際ピクセル駆動電圧の測定値Ｖｄｄ＿ｓがピクセルに供給されるときは、降下量Ｖｄｄ＿ｄだけ低くなったデータ電圧をピクセルに印加する。
【０１１６】
図１１はフレームが進行して入力映像が変わるとき、図７の構成によって検出した実際ピクセル駆動電圧と、図９の構成によって生成した低電位／高電位ガンマ入力電圧を示す図である。図１１は、１番目のフレームには表示パネル１０のすべてのピクセルがブラック階調で発光し、２番目のフレーム乃至４番目のフレームにはすべてのピクセルがホワイト階調で発光する例である。
【０１１７】
１番目のフレームのように画面がブラック映像を表示する場合、ピクセルの発光素子が全く発光しないか或いは最小に発光するので、ピクセルの駆動素子ＤＴに電流がほとんど流れないため、ピクセル駆動電圧Ｖｄｄに電圧降下が発生しない。
【０１１８】
これにより、第１フレーム内で時間が経過するにつれて、すなわちデータスキャンが表示パネル１０の上端から下端に（または下端から上端に）進行してもスキャン信号に同期して、各水平ラインのピクセルに接続された第１電源ライン１０１の横配線から実際に測定したピクセル駆動電圧の測定値Ｖｄｄ＿ｓは、変わらずに一定の値を維持する。
【０１１９】
ピクセル駆動電圧の測定値Ｖｄｄ＿ｓがピクセル駆動電圧の基準値Ｖｄｄ＿ｒから変わらずに一定の値を維持するので、ガンマ基準電圧生成部１７がガンマ基準電圧を生成する基準となる高電位／低電位ガンマ入力電圧Ｖｇｍａ＿ｈ／Ｖｇｍａ＿ｌが変わらず、内部高電位／低電位電圧Ｖｇｍａ＿ｈ０／Ｖｇｍａ＿ｌ０をそのまま維持し、ブラック階調に該当するピクセルデータのデータ電圧も水平ラインが進行してもその値が変わらずに維持される。
【０１２０】
２番目のフレームにおいて画面がホワイト映像を表示すると、すなわち、画面がホワイト階調のピクセルデータを表示すると、発光素子が最高に発光するので、ピクセルの駆動素子ＤＴに電流が多く流れ、水平ラインが進行しながらピクセル駆動電圧Ｖｄｄの電圧降下量が次第に大きくなる。
【０１２１】
これにより、データスキャンが進行するにつれて、スキャン信号に同期して、各水平ラインのピクセルに接続された第１電源ライン１０１の横配線から実際に測定したピクセル駆動電圧の測定値Ｖｄｄ＿ｓも次第に減少し、これを反映してガンマ基準電圧調整部１６１が出力する高電位／低電位ガンマ入力電圧Ｖｇｍａ＿ｈ／Ｖｇｍａ＿ｌも次第に減少する。
【０１２２】
高電位／低電位ガンマ入力電圧Ｖｇｍａ＿ｈ／Ｖｇｍａ＿ｌが減少するにつれて、ホワイト階調に該当するピクセルデータもさらに低いデータ電圧に変換されてピクセルに印加され、これにより、発光素子に流れる電流も表示パネル１０の上端または下端に関係なく一定になる。
【０１２３】
高電位／低電位ガンマ入力電圧Ｖｇｍａ＿ｈ／Ｖｇｍａ＿ｌが内部高電位／低電位電圧Ｖｇｍａ＿ｈ０／Ｖｇｍａ＿ｌ０であるとき、これに基づいてガンマ基準電圧生成部１７及び以後のガンマ補償電圧生成部が生成するガンマ補償電圧によって決定されるホワイト階調のピクセルデータのデータ電圧をＶ２５５と仮定することができる。
【０１２４】
例えば、表示パネル１０の１番目の水平ラインで測定されるピクセル駆動電圧の測定値Ｖｄｄ＿ｓが基準値Ｖｄｄ＿ｒと同じであれば、高電位／低電位ガンマ入力電圧Ｖｇｍａ＿ｈ／Ｖｇｍａ＿ｌは、内部高電位／低電位電圧Ｖｇｍａ＿ｈ０／Ｖｇｍａ＿ｌ０を維持するので、これに基づいて生成されるガンマ補償電圧を適用してホワイト階調のピクセルデータをデータ電圧に変換すると、データ駆動回路１２のＤＡＣ１２５はＶ２５５を出力する。これにより、ピクセルの駆動素子ＤＴに流れる電流は、Ｋ（Ｖｄｄ＿ｒ−Ｖ２５５）２となる。
【０１２５】
表示パネル１０の所定の水平ラインで測定されるピクセル駆動電圧の測定値Ｖｄｄ＿ｓが基準値Ｖｄｄ＿ｒよりも所定の電圧降下量Ｖｄｄ＿ｄだけ低くなると（Ｖｄｄ＿ｓ＝Ｖｄｄ＿ｒ−Ｖｄｄ＿ｄ）、高電位／低電位ガンマ入力電圧Ｖｇｍａ＿ｈ／Ｖｇｍａ＿ｌは、内部高電位／低電位電圧Ｖｇｍａ＿ｈ０／Ｖｇｍａ＿ｌ０から該当電圧降下量Ｖｄｄ＿ｄだけ低くなる。電圧降下量Ｖｄｄ＿ｄだけ低くなった高電位／低電位ガンマ入力電圧Ｖｇｍａ＿ｈ／Ｖｇｍａ＿ｌに基づいて生成されるガンマ補償電圧も、電圧降下量Ｖｄｄ＿ｄだけ低くなる。したがって、電圧降下量Ｖｄｄ＿ｄだけ低くなったガンマ補償電圧を適用してホワイト階調のピクセルデータをデータ電圧に変換すると、データ駆動回路１２のＤＡＣ１２５は、（Ｖ２５５−Ｖｄｄ＿ｄ）を出力する。これにより、ピクセル駆動素子ＤＴに流れる電流は、Ｋ（（Ｖｄｄ＿ｒ−Ｖｄｄ＿ｄ）−（Ｖ２５５＿Ｖｄｄ＿ｄ））２＝Ｋ（Ｖｄｄ＿ｒ−Ｖ２５５）２となり、１番目の水平ラインのピクセルにホワイト階調のピクセルデータが印加されるときに当該ピクセルの駆動素子ＤＴに流れる電流と同一になる。
【０１２６】
したがって、同じピクセルデータに対して当該ピクセルデータが印加されるピクセルの位置に関係なく、同じ大きさの電流をピクセルの駆動素子ＤＴに流れるようにすることができるため、同じ輝度で発光することができる。
【０１２７】
画面全体をホワイト階調で表示する３番目のフレームと４番目のフレームにおいても、高電位／低電位ガンマ入力電圧Ｖｇｍａ＿ｈ／Ｖｇｍａ＿ｌは、実際に測定するピクセル駆動電圧の測定値Ｖｄｄ＿ｓの変動に合わせてピクセル駆動電圧の測定値Ｖｄｄ＿ｓが移動する方向と同じ方向に同じ間隔を保って移動する。
【０１２８】
水平期間が進行しながらピクセル駆動電圧の測定値Ｖｄｄ＿ｓが次第に減少する２番目のフレームとは異なり、３番目のフレームと４番目のフレームでは、ピクセル駆動電圧の測定値Ｖｄｄ＿ｓがスキャン動作の進行に伴って増加するが、これは、２番目のフレームと３番目のフレームの入力映像パターン、すなわち画面全体がホワイト階調であることを反映して、ピクセル駆動電圧Ｖｄｄの電圧降下を補償するために、電源部１６が、スキャン動作が進行するほどピクセル駆動電圧Ｖｄｄを上方に調節するからである。
【０１２９】
スキャン動作を進行しながらピクセル駆動電圧Ｖｄｄを上方に調節すると、図１１の３番目のフレームと４番目のフレームでの如く、実際に測定されるピクセル駆動電圧の測定値Ｖｄｄ＿ｓもそれに伴って増加し、同様に高電位／低電位ガンマ入力電圧Ｖｇｍａ＿ｈ／Ｖｇｍａ＿ｌも増加する。
【０１３０】
ところが、実際に測定されるピクセル駆動電圧の測定値Ｖｄｄ＿ｓに基づいて、ガンマ補償電圧の上限と下限を決定してピクセル駆動電圧の変化に合わせてガンマ補償電圧を可変させるので、位置に関係なく、同じピクセルデータに対してピクセルの発光素子に流れる電流の大きさは一定になり、これにより、同じピクセルデータに対するピクセルの輝度も同一になる。
【０１３１】
したがって、表示パネル内でピクセルの位置に応じてピクセルに実際に供給されるピクセル駆動電圧が変わっても、同じピクセルデータに対して同じ輝度でピクセルを発光させることができる。
【０１３２】
明細書に記載された表示装置は、次のとおり説明できる。
【０１３３】
一実施形態に係る表示装置は、複数のピクセルを備える表示パネルと、ガンマ補償電圧に基づいてピクセルデータをデータ電圧に変換して複数のデータラインを介して複数のピクセルに供給するデータ駆動回路と、表示パネルの各水平ラインのピクセルに接続されるゲートラインを介してスキャン信号を供給するゲート駆動回路と、電源ラインを介して複数のピクセルにピクセル駆動電圧を供給する電源部と、表示パネルの複数の位置でスキャン信号に同期して検出されるピクセル駆動電圧の測定値に基づいてガンマ補償電圧の範囲を調整するガンマ基準電圧調整部とを含んで構成されることを特徴とする。
【０１３４】
一実施形態において、表示装置は、検出されるピクセル駆動電圧をガンマ基準電圧調整部に伝達するセンシングラインと、スキャン信号に応じて電源ラインとセンシングラインとの接続を制御するセンシングスイッチトランジスタとをさらに含んで構成できる。
【０１３５】
一実施形態において、センシングラインは、表示パネルにおける表示領域の外側領域に設けられ、センシングスイッチトランジスタは、表示パネルにメッシュ状に形成される電源ラインのうち、ゲートラインが延びる方向に延びる横配線をセンシングラインに接続することができる。
【０１３６】
一実施形態において、センシングスイッチトランジスタは、各水平ラインに配置され、当該水平ラインのピクセルに接続されるゲートラインに供給されるスキャン信号に応じて当該水平ラインにピクセル駆動電圧を供給する横配線をセンシングラインに接続することができる。
【０１３７】
一実施形態において、ガンマ基準電圧調整部は、センシングラインを介して所定数の水平期間ごとにピクセル駆動電圧の測定値を受けてガンマ補償電圧の範囲を調整することができる。
【０１３８】
一実施形態において、ガンマ基準電圧調整部は、電源部が出力するピクセル駆動電圧の基準値を測定値と比較してガンマ補償電圧の範囲を限定する高電位ガンマ入力電圧と低電位ガンマ入力電圧を調整することができる。
【０１３９】
一実施形態において、ガンマ基準電圧調整部は、基準値と測定値との差に対応する第１信号を出力する第１差動増幅器、内部高電位電圧と第１信号との差を高電位ガンマ入力電圧として出力する第２差動増幅器、及び内部低電位電圧と第１信号との差を低電位ガンマ入力電圧として出力する第３差動増幅器を含んで構成できる。
【０１４０】
一実施形態において、表示装置は、高電位ガンマ入力電圧と低電位ガンマ入力電圧を用いてガンマ補償電圧を生成するガンマ補償電圧生成部をさらに含んで構成できる。
【０１４１】
一実施形態において、第１差動増幅器の増幅比は１以上であり得る。
【０１４２】
一実施形態において、電源部は、入力映像のパターンに基づいてピクセル駆動電圧を増加させることができる。
【０１４３】
以上説明した内容から、当業者であれば、本発明の技術思想を逸脱することなく様々な変更及び修正が可能であることが分かるだろう。したがって、本発明の技術的範囲は、明細書の詳細な説明に記載された内容に限定されるものではなく、特許請求の範囲によって定められるべきである。
【符号の説明】
【０１４４】
１０    表示パネル
１１    タイミングコントローラ
１２    データ駆動回路
１３    ゲート駆動回路
１４    データライン
１５    ゲートライン
１６    電源部
１７    ガンマ基準電圧生成部
【図１】
0006942846.tif 000002
【図２】
0006942846.tif 000003
【図３】
0006942846.tif 000004
【図４】
0006942846.tif 000005
【図５】
0006942846.tif 000006
【図６】
0006942846.tif 000007
【図７】
0006942846.tif 000008
【図８】
0006942846.tif 000009
【図９】
0006942846.tif 000010
【図１０】
0006942846.tif 000011
【図１１】
0006942846.tif 000012